【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
ＱｏＳ制御を行うことができる端末であって、
前記端末のＱｏＳに係る情報を収集し、前記ＱｏＳの統計量が所定の閾値を超えていないかを監視する監視モジュールと、
前記収集されたＱｏＳに係る情報をセントラルサーバに報告し、前記セントラルサーバから前記ＱｏＳの実行指示を受信する通信モジュールと、
前記通信モジュールが受信した前記ＱｏＳの実行指示に基づいて、前記端末の動作を制御する実行モジュールとを有し、
前記監視モジュールが、前記閾値を超える閾値違反を検出した場合には、前記実行モジュールが、前記閾値違反を修正するトラフィック制御を行う端末。
【請求項２】
前記監視モジュールは、サービスセッションごとに前記ＱｏＳに係る情報を収集する請求項１に記載の端末。
【請求項３】
前記実行モジュールは、前記セントラルサーバから受信した前記ＱｏＳの実行指示で示される値と、前記監視モジュールで測定された現在の値とを比較し、必要に応じて設定値を修正して前記端末の動作を制御する請求項１に記載の端末。
【請求項４】
前記実行モジュールが、
前記端末において、パケットを異なる優先順位に分類する手段と、
前記端末に割り当てられるリソース割当が使い切られた場合、前記端末において、パケット廃棄を管理する手段と、
送信レートを下げることによって、前記端末における輻輳を抑える手段と、
十分なリソースが前記端末に割り当てられない場合には、パケットの送信を遅延させることによって、前記端末における輻輳を抑える手段と、
セッションを終了してパケットの送信を中止する手段と、
現在動作しているセッションの総数を制限することによって、出力パケットを減少させる手段と、
出力を行うセッションの総数を制限することによって、入力トラフィックを減少させる手段と、
入力トラフィックを少なくする要求を行うことによって、入力トラフィックを減少させる手段とのうちの少なくとも１つ以上を有する請求項１に記載の端末。
【請求項５】
前記通信モジュールは、セッションコントロールメッセージにＱｏＳ制御能力に関する情報を埋め込み、セッション開始時に、セッションを制御するサーバに対してこの情報を送信し、
前記通信モジュールは、前記セントラルサーバが、返答メッセージ内にＱｏＳ制御能力を埋め込んで前記端末に返答する前記返答メッセージを受信し、
前記セッション開始時の前記返答メッセージがＱｏＳ制御能力に関する情報を含む場合、前記端末は、前記監視モジュールと前記実行モジュールを動作させ、
前記通信モジュールと前記セントラルサーバとの間のＱｏＳ制御を行うための通信チャンネルを確立する請求項１に記載の端末。
【請求項６】
前記端末がネットワークに接続する場合のアクセス制御プロセスの際に、前記通信モジュールは、アクセス制御サーバにＱｏＳ制御サービスを要求し、
前記セントラルサーバによって割り当てられたトンネルチャンネル情報を利用して、前記アクセス制御サーバが、前記通信モジュールと前記セントラルサーバと間のトンネルチャンネルの設定を行い、前記通信モジュールと前記セントラルサーバとの間の通信チャンネルが確立される請求項１に記載の端末。
【請求項７】
ＱｏＳ制御を実行することが可能な端末と、
前記端末を利用するユーザの加入情報及びサービスレベル協定に関する情報を格納するセントラルデータベースと、
前記端末からＱｏＳに係る情報の報告を受け、前記ＱｏＳに係る情報と前記ユーザの加入情報及び前記サービスレベル協定に関する情報とに基づいて、前記端末に前記ＱｏＳの実行指示を行うセントラルサーバとを、
有する通信システムであって、
前記端末が、
前記端末のＱｏＳに係る情報を収集し、前記ＱｏＳの統計量が所定の閾値を超えていないかを監視する監視モジュールと、
前記収集されたＱｏＳに係る情報を前記セントラルサーバに報告し、前記セントラルサーバから前記ＱｏＳの実行指示を受信する通信モジュールと、
前記通信モジュールが受信した前記ＱｏＳの実行指示に基づいて、前記端末の動作を制御する実行モジュールとを有し、
前記監視モジュールが、前記閾値を超える閾値違反を検出した場合には、前記実行モジュールが前記閾値違反を修正するトラフィック制御を行う通信システム。
【請求項８】
ＱｏＳ制御を実行することが可能なＱｏＳ制御モジュールを有する端末と、
前記端末を利用するユーザの加入情報及びサービスレベル協定に関する情報とを格納するセントラルデータベースと
前記端末からＱｏＳに係る情報の報告を受け、前記端末にＱｏＳの実行指示を行うセントラルサーバとを有する通信システムにおける通信方法であって、
前記ＱｏＳ制御モジュールが前記端末のＱｏＳに係る情報を収集し、前記ＱｏＳの統計量が所定の閾値を超えていないかを監視するステップと、
前記ＱｏＳ制御モジュールが、収集された前記ＱｏＳに係る情報を前記セントラルサーバに報告するステップと、
前記セントラルサーバが、前記ＱｏＳ制御モジュールから前記ＱｏＳに係る情報を受信するステップと、
前記セントラルサーバが、前記ＱｏＳ制御モジュールから受信した前記ＱｏＳに係る情報と前記加入情報及び前記サービスレベル協定に関する情報とに基づいて、前記ＱｏＳの実行指示を決定するステップと、
前記セントラルサーバが、前記ＱｏＳ制御モジュールに前記ＱｏＳの実行指示を送信するステップと、
前記ＱｏＳ制御モジュールが、前記セントラルサーバから送られてきた前記ＱｏＳの実行指示に基づいて、前記端末のＱｏＳ制御を行うステップと、
前記ＱｏＳ制御モジュールが、前記閾値を超える閾値違反を検出した場合には、前記閾値違反を修正するＱｏＳ制御を行うステップとを、
有する通信方法。
【請求項９】
前記端末が、セッション制御メッセージにＱｏＳ制御能力に関する情報を埋め込み、セッション開始時に、セッションを制御するサーバに対してこの情報を送信するステップと、
前記セッションを制御する前記サーバが前記ＱｏＳ制御能力に関する情報を検出した場合、前記セントラルサーバが監視セッションを開始するステップと、
前記セントラルサーバが、返答メッセージ内にＱｏＳ制御能力を埋め込んで、前記端末に返答するステップと、
前記セッション開始時の返答メッセージがＱｏＳ制御能力に関する情報を含む場合、前記端末が前記ＱｏＳ制御モジュールを動作させるステップとを有し、
前記端末の前記ＱｏＳ制御モジュールと前記セントラルサーバとの間のＱｏＳ制御を行うための通信チャンネルを確立する請求項８に記載の通信方法。
【請求項１０】
前記セッション制御メッセージ内に前記ＱｏＳに係る情報の報告を埋め込み、前記通信チャンネルを利用して、前記セッションを制御する前記サーバにその情報を送信するステップと、
前記セッションを制御する前記サーバが、前記セッション制御メッセージに埋め込まれている前記ＱｏＳに係る情報の報告を分析するステップと、
前記セッション制御サーバが、前記報告情報を前記セントラルサーバに送信するステップとを、
有し、前記ＱｏＳ制御モジュールから前記セントラルサーバに対して、前記ＱｏＳに係る情報を報告する請求項９に記載の通信方法。
【請求項１１】
前記セントラルサーバが、前記報告情報をバックエンドデータベースに格納するステップをさらに有する請求項１０に記載の通信方法。
【請求項１２】
前記セントラルサーバが前記セッション制御メッセージにＱｏＳ実行情報を埋め込み、前記通信チャンネルを利用して、前記端末のセッションクライアントにそれを送信するステップと、
前記セッションクライアントが、セッションアプリケーションによって、前記セッション制御メッセージに埋め込まれたＱｏＳ実行情報を分析するステップと、
前記セッションクライアントが、前記ＱｏＳ制御モジュールに前記ＱｏＳ実行指示を送信するステップとを、
有する請求項９に記載の通信方法。
【請求項１３】
前記端末が、前記ＱｏＳ実行情報を前記端末のローカルデータベースに格納するステップをさらに有する請求項１２に記載の通信方法。
【請求項１４】
前記端末がネットワークに接続する場合のアクセス制御プロセスの際に、前記端末がＱｏＳ制御サービスを要求するステップと、
アクセス制御サーバが、前記セントラルサーバに前記ＱｏＳ制御サービス要求の通知を行った場合に、前記セントラルサーバが監視セッションを開始するステップと、
トンネルチャンネル情報を割り当て、前記セントラルサーバによる前記アクセス制御サーバへの返答内に前記トンネルチャンネル情報を埋め込むステップと、
前記トンネルチャンネル情報を受信し、これを利用して、前記端末の前記ＱｏＳ制御モジュールと前記セントラルサーバと間のトンネルチャンネルの設定を行うステップとを有し、
前記端末の前記ＱｏＳ制御モジュールと前記セントラルサーバとの間のＱｏＳ制御を行うための通信チャンネルを確立する請求項８に記載の通信方法。
【請求項１５】
前記端末のローカルデータベースに、収集された前記ＱｏＳに係る情報を格納するステップをさらに有する請求項１４に記載の通信方法。
【請求項１６】
前記セントラルサーバが、前記受信したＱｏＳに係る情報の報告と、前記バックエンドデータベースから取得したＱｏＳプロフィールとを比較するステップと、
前記セントラルサーバが、フィードバックする前記ＱｏＳの実行指示を、特定のＱｏＳフィードバック報告フォーマットに梱包するステップと、
有し、前記トンネルチャンネルを利用して、前記セントラルサーバから前記端末の前記ＱｏＳ制御モジュールにフィードバックを行う請求項１４に記載の通信方法。
【請求項１７】
前記セントラルサーバが、前記サービスを受けるユーザのＱｏＳプロフィールを前記バックエンドデータベースから読み出すステップと、
前記セントラルサーバが、前記バックエンドデータベースから、前記中継ネットワークのＱｏＳプロフィールを読み出すステップと、
前記セントラルサーバが、ネットワークの実行ノードから、前記中継ネットワークのステータスを取得するステップと、
前記セントラルサーバが、前記通信チャンネルを経由する報告によって、前記端末のステータスを取得するステップと、
前記セントラルサーバが、前期端末の状態と前記端末のＱｏＳプロフィールとを比較するステップと、
前記セントラルサーバが、前記ネットワークの状態と前記ネットワークのＱｏＳプロフィールとを比較するステップとを、
有する請求項は１５に記載の通信方法。
【請求項１８】
前記セントラルサーバが、バックエンドデータベースに格納されているポリシーを取り扱うメカニズムに関する情報に基づいて、行われる操作を決定するステップと、
前記セントラルサーバが、適切なＱｏＳパラメータを含む操作情報を、ＱｏＳ実行メッセージのフォーマットに梱包するステップと、
動作修正を必要とする端末の前記ＱｏＳ制御モジュールに、前記ＱｏＳ実行メッセージを送信するステップとを、
有する請求項１４に記載の通信方法。